(57)【要約】【課題】キックレバーを有する一般的な跳ね上げ式自転車用スタンドのロックの解除を、ロック動作の信頼性が損なわれないようにして、かつ、コスト負担の増加をできるだけ抑えて簡単に行えるようにすることを課題としている。【解決手段】キックレバー４を有する跳ね上げ式のスタンド１を備え、さらに、後輪制動用のバンドブレーキ３０を備えた自転車に設ける装置であり、係合子１０と駆動子１１を有し、後輪ブレーキ用ブレーキレバーの作動時にバンドブレーキの揺動リンクに固定した駆動子１１がキックレバー４に固定した係合子に係合してキックレバー４をロック解除位置に動かすようにした。【選択図】図３
2008143405.tif 000002
【特許請求の範囲】
【請求項１】
車体フレーム（２０）のリヤエンド部（２１）に取り付けるブラケット（２）と、このブラケットに上端を回動可能に取り付けた足（３）と、この足（３）の上側部分にピボット軸（７）で回動可能に取り付けて前記ピボット軸（７）を支点にした回動でロック点とロック解除点に選択的に移動させるキックレバー（４）と、このキックレバー（４）と前記ブラケット（２）の各ばね受け部（８，８）間に張設されるスプリング（５）とを有し、前記足（３）を立てた位置でロック点に移動させた前記キックレバー（４）を前記ブラケット（２）に係合させて起立状態をロックする跳ね上げ式スタンド（１）を備え、さらに、ブレーキレバー（２４）に加えた操作力をワイヤー（２５）経由で揺動リンク（２７）に伝え、その揺動リンク（２７）に接続されたブレーキシュー（２８）を作動させて後輪の制動を行うバンドブレーキ（３０）を備えた自転車に設けるスタンドのロック解除装置であって、
前記キックレバー（４）に固定する係合子（１０）と、前記揺動リンク（２７）の揺動支点から離反した位置に固定する駆動子（１１）とを有し、
前記駆動子（１１）が前記ブレーキレバー（２４）の作動時に前記揺動リンク（２７）の動きに連動して変位し、その変位の途中に前記係合子（１０）に係合してキックレバー（４）をロック解除位置に動かすように構成された自転車スタンドのロック解除装置。
【請求項２】
前記係合子（１０）が、前記足（３）を立ち上がらせた状態で見たときに、前記キックレバー（４）の前記ピボット軸（７）よりも上側部分、かつ、前記ブラケット（２）の内側に回り込ませた部分に固定され、前記駆動子（１１）は圧子として構成され、前記ブレーキレバー（２４）を作動させたときに前記駆動子（１１）が前記係合子（１０）を斜め前方下向きに押し下げて前記キックレバー（４）をロック解除位置に動かすように構成された請求項１に記載の自転車スタンドのロック解除装置。
【請求項３】
前記係合子（１０）がフック掛け部を有する係合板として構成され、前記足（３）を立ち上がらせた状態で見たときに、前記キックレバー（４）の前記ピボット軸（７）よりも上側部分に固定され、前記駆動子（１１）はフックとして構成され、前記ブレーキレバー（２４）を作動させたときに前記駆動子（１１）が前記係合子（１０）を引き動かしてキックレバー（４）をロック解除位置に動かすように構成された請求項１に記載の自転車スタンドのロック解除装置。
【請求項４】
前記駆動子（１１）を、バンドブレーキの前記揺動リンク（２７）に固定する第１部材（１１ａ）と、その第１部材にねじ（１１ｃ）で固定する第２部材（１１ｂ）とで構成し、前記第１部材（１１ａ）に対する第２部材（１１ｂ）の固定位置を調整可能となした請求項２又は３に記載の自転車スタンドのロック解除装置。
【発明の詳細な説明】
【技術分野】
【０００１】
この発明は、自転車の跳ね上げ式スタンドのロックを、人が足を使わずに簡単に解除できる自転車スタンドのロック解除装置に関する。
【背景技術】
【０００２】
一般的な自転車の跳ね上げ式スタンドは、車体フレームのリヤエンド部に取り付けるブラケットと、このブラケットに上端を回動可能に取り付けた足（脚）と、この足の上側部分にピボット軸で回動可能に取り付けて前記ピボット軸を支点にした回動でロック点とロック解除点に選択的に移動させるキックレバーと、このキックレバーと前記ブラケットの各ばね受け部間に張設されるスプリングとで構成されている。
【０００３】
この跳ね上げ式スタンドには、１本足タイプとＵ字状に構成された両足タイプがある。スタンドのロックとロック解除の動作は、どちらの方式のスタンドも似たものになっている。両足タイプのスタンドは、足を立てた位置でキックレバーを人が足でロック点に蹴り動かし、ロック点に移動したキックレバーをブラケットに係合させる。１本足タイプのスタンドも同様であるが、１本足タイプのスタンドの中には、足を立てた位置でキックレバーがロック点に自動的に移動するものもある。ロック点に移動したキックレバーはブラケットに係合し、その係合により跳ね上げ方向への足の回動が阻止され、スタンドの足の立ち上がり状態(以下ではスタンドの起立状態という)がロックされる。そして、そのロック状態がスプリングの力で保持される。
【０００４】
この一般的な跳ね上げ式スタンドは、ロックの解除も、ロック点にあるキックレバーをロック解除点に向けて人の足で蹴り動かして行われるが、人が足を使わずにスタンドのロックを解除する装置も提案されている（下記特許文献１，２参照）。
【０００５】
特許文献１が開示しているスタンド解施錠装置は、車体フレームのリヤエンド部に取り付けるブラケットにバネの力で復元するストッパを設け、そのストッパを、スタンドの足の立ち上がり位置から跳ね上げ方向への回転を遮る位置（復元位置）に突出させてスタンドの起立状態をロックし、ロックの解除は、ロック点に保持されたストッパを遠隔操作でロック解除点に後退させて行われるようになっている。
【０００６】
また、特許文献２が開示している車両のスタンド用ロック装置は、車体フレームのリヤエンド部に取り付けるブラケットにコイルバネによってスタンドの足と係合する方向に付勢されたラッチを設け、そのラッチがスタンドの足を立てたときにその足に設けたピンに係合してスタンドの立ち上がり状態がロックされ、ロックの解除は、ラッチを遠隔操作でピンから外して行われるようになっている。
【０００７】
なお、特許文献１の装置と特許文献２の装置は、どちらも、ロックの解除を後輪ブレーキ用ブレーキレバーの操作によって行うようにしている。後輪ブレーキ用のブレーキレバーを操作すると、ワイヤー(ブレーキワイヤー)経由で操作力が特許文献１や特許文献２の装置に伝わり、バネの力でロック点に保持されたストッパやラッチがロック点から退避してロックが解除される。
【特許文献１】実用新案登録第３０１４２３０号公報
【特許文献２】特開平６−３２２６６号公報
【発明の開示】
【発明が解決しようとする課題】
【０００８】
特許文献１，２が開示している装置は、特殊なスタンドを必要とする。一般的な跳ね上げ式スタンドは、上述したキックレバーを有しており、そのキックレバーを利用してスタンドのロックやそのロックの解除を行うが、特許文献１，２が開示している装置にはキックレバーがない。特許文献１，２の装置は、キックレバーに代わる要素として、進退可能なストッパやバネの力で回動してスタンドの足側の係合ピンに係合するラッチを設けているので、既存の量産品のスタンドを使用することができず、コスト面で不利になる。
【０００９】
また、特許文献１の装置は、ストッパを進退スライド可能に支持してブレーキ(ブレーキレバー)からの操作力をクランク経由でストッパに伝え、さらに、ストッパの復帰を線バネの力で行う構造であるので、ストッパやクランクの錆付きや汚れの付着、さらには線バネの疲労などによるストッパの動きの悪化が考えられ、それが原因でロックがかからなくなること（信頼性の低下）が懸念される。
【００１０】
特許文献２の装置も、ラッチをコイルバネの力で回転させるので、特許文献１の装置と同様の理由によってラッチの動きが悪化し、ロック動作の信頼性低下の問題が起こる可能性がある。
【００１１】
この発明は、キックレバーを有する一般的な跳ね上げ式スタンドのロックの解除を、ロック動作の信頼性が損なわれないようにして、かつ、コスト負担の増加をできるだけ抑えて簡単に行えるようにすることを課題としている。
【課題を解決するための手段】
【００１２】
上記の課題を解決するため、この発明においては、車体フレームのリヤエンド部に取り付けるブラケットと、このブラケットに上端を回動可能に取り付けた足と、この足の上側部分にピボット軸で回動可能に取り付けて前記ピボット軸を支点にした回動でロック点とロック解除点に選択的に移動させるキックレバーと、このキックレバーと前記ブラケットの各ばね受け部間に張設されるスプリングとを有し、前記足を立てた位置でロック点に移動させた前記キックレバーを前記ブラケットに係合させて起立状態をロックする跳ね上げ式のスタンドを備え、さらに、ブレーキレバーに加えた操作力をワイヤー経由で揺動リンクに伝え、その揺動リンクに接続されたブレーキシューを作動させて後輪の制動を行うバンドブレーキを備えた自転車に設ける自転車スタンドのロック解除装置を提供する。
【００１３】
そのロック解除装置は、キックレバーに固定する係合子と、バンドブレーキの前記揺動リンクの揺動支点から離反した位置に固定する駆動子とを有し、前記駆動子が前記ブレーキレバーの作動時に前記揺動リンクの動きに連動して変位し、その変位の途中に前記係合子に係合してキックレバーをロック解除位置に動かすように構成される。
【００１４】
この装置は、具体的な形態として、前記足を立ち上がらせた状態で見たときに、前記係合子がキックレバーの前記ピボット軸よりも上側部分、かつ、前記ブラケットの内側に回り込ませた部分に固定され、前記駆動子は圧子として構成され、前記ブレーキレバーを作動させたときに前記駆動子が前記係合子を斜め前方下向きに押し下げてキックレバーをロック解除位置に動かすようにしたものや、
前記係合子がフック掛け部を有する係合板として構成され、前記足を立ち上がらせた状態で見たときに、キックレバーの前記ピボット軸よりも上側部分に固定され、前記駆動子はフックとして構成され、前記ブレーキレバーを作動させたときに前記駆動子が前記係合子を引き動かしてキックレバーをロック解除位置に動かすようにしたものが考えられる。
【００１５】
どちらの形態も、１本足スタンド、両足スタンドの双方に適用可能である。なお、駆動子は、前記揺動リンクに固定する第１部材と、その第１部材にねじで固定する第２部材とで構成し、前記第１部材に対する第２部材の固定位置を調整可能となしたものが好ましい。
【発明の効果】
【００１６】
この発明の自転車スタンドのロック解除装置は、ロック点に保持されたキックレバーを後輪ブレーキ用ブレーキレバーの操作力で駆動してロックを解除する。
【００１７】
スタンドの起立状態のロックは、ロック解除装置の無い自転車と同様に人がキックレバーをロック点に蹴り動かして行う。スタンドの足は人が足を使って立てるので、そのときにキックレバーを蹴り動かすのは、特に苦にはならない。足を立てたときにキックレバー
が自動的にロック点に動くものは、勿論、キックレバーのロック点への蹴り動かしは不要である。
【００１８】
このように、キックレバーを備えた跳ね上げ式スタンドにこの発明を適用し、ロックの解除のみをブレーキレバーを利用した遠隔操作によって行うようにしたので、ロック動作の信頼性低下の懸念がなくなる。
【００１９】
また、キックレバーを有する一般的なスタンドを適用対象にしているので、既存の量産品のスタンドを使用することができ、専用スタンドを使用する前掲の特許文献１，２の装置に比べてコスト面で有利になる。ロック解除装置そのものも、キックレバーに固定する係合子と、バンドブレーキの揺動リンクに固定する駆動子の２種類の部品からなり、これらの部品は単純な形状のものでよいため、安価に構成できる。
【発明を実施するための最良の形態】
【００２０】
以下、添付図面の図１〜図１１に基づいて、この発明の自転車スタンドのロック解除装置の実施形態を説明する。図１〜図５は第１形態のロック解除装置を、図６〜図１０は第２形態のロック解除装置をそれぞれ採用したスタンドを示している。これらのスタンド１，１Ａ(Ａは区別のために便宜上付した)、いずれも、キックレバー４を有する跳ね上げ式スタンドである。各図の３０は、後輪ブレーキとして採用されるバンドブレーキであり、この発明は、そのバンドブレーキ３０とキックレバー４を有する跳ね上げ式スタンド１あるいは１Ａの双方を備えた自転車に適用される。
【００２１】
図１〜図５に示した第１形態のロック解除装置は、両足タイプの跳ね上げ式スタンド１に設けられたものである。両足タイプの跳ね上げ式スタンド１は、自転車の車体フレーム２０のリヤエンド部２１に取り付けるブラケット２と、このブラケット２に上端を支軸６で回動可能に取り付けたＵ字状の足３と、この足３の上側部分にピボット軸７で回動可能に取り付けてピボット軸７を支点にした回動でロック点とロック解除点に選択的に移動させるキックレバー４と、このキックレバー４とブラケット２の各ばね受け部８，８間に張設されるスプリング５とで構成されており、足３を立てて自転車の後輪（図１１の２３）を宙に浮かせ、この両足タイプのスタンド１と前輪（図１１の２２）を接地させて駐車した自転車の起立状態を保つ。ブラケット２には、足３の過大回動を立ち上がり終点と跳ね上げ終点で阻止するストッパ９が設けられている。
【００２２】
図示の跳ね上げ式スタンド１のロックは、足３を立てた位置でキックレバー４を人がロック点に蹴り動かす方法でなされる。ロック点に移動したキックレバー４はブラケット２に係合し、その係合状態がスプリング５の力で保持される。キックレバー４がブラケット２に係合しているときには足３の跳ね上げ方向への回動がブラケット２によって規制されるようになっており、ブラケット２に対するキックレバー４の係合によってスタンドの起立状態がロックされる。
【００２３】
上述したバンドブレーキ３０は、自転車の後輪ブレーキとして多用されているブレーキであって、図５に示す要素、即ち、ブレーキレバー２４（図１１参照）の操作力をワイヤー２５経由でハウジング２６に支持された揺動リンク２７に伝えてこの揺動リンク２７を揺動させ、一端をその揺動リンク２７に連結したブレーキシュー（ブレーキバンド）２８をブレーキドラム２９に圧接させて後輪の制動を行う。
【００２４】
第１形態のロック解除装置は、キックレバー４に固定する係合子１０と、バンドブレーキ３０の揺動リンク２７に固定する駆動子１１を有している（図１〜図３参照）。係合子１０は、樹脂や金属で形成された角型の部材であり、図１、図３に示すように、足３が立ち上がった状態のときにキックレバー４のピボット軸７よりも上側部分、かつ、ブラケット２の内側に回り込ませた部分に固定される。
【００２５】
また、駆動子１１は、揺動リンク２７の揺動支点２７ａから離反した位置（ワイヤー２５との連結部）に固定する第１部材１１ａと、その第１部材１１ａにねじ１１ｃで固定する下向き屈曲部を先端に有する第２部材１１ｂとで構成している。第１部材１１ａに対する第２部材１１ｂの固定位置は、第２部材１１ｂに設けた長孔１１ｄにねじ１１ｃを通し
、その長孔１１ｄとねじ１１ｃとの間に生じた融通の範囲で調整できるようにしている。この調整機能を備えさせると、係合子１０と駆動子１１の相対位置を微調整して両者の係合状態を安定させることができ、ロック解除装置の作動の安定性向上が図れる。なお、駆動子１１がその調整機能をもつことは必須の要件ではなく、調整機能のない駆動子は全体を一体に形成することができる。
【００２６】
このように構成した第１形態のロック解除装置は、スタンド１の足３を立て、キックレバー４をロック点に蹴り動かしてスタンドの起立状態をロックする。この操作で図１、図３に示すように、キックレバー４に固定した係合子１０が駆動子１１の近傍（斜めの前方下部）に移動する。
【００２７】
また、スタンドの起立状態のロックを解除するときには、図１１に示した後輪ブレーキ用のブレーキレバー２４を操作する。この操作で、後輪ブレーキの揺動リンク２７がワイヤー２５に引かれて揺動し、その際に、一緒に変位する駆動子１１が圧子として働いて係合子１０を斜め前方下向きに押し下げる。このために、図４に示すように、キックレバー４がピボット軸７を支点にして回動し、このキックレバー４がロック解除点に移動してロックが解ける。両足タイプのスタンド１はロック解除後に自転車を前方に押し動かすと、足３がスプリング５の力で跳ね上がり、再度足を立てるときまでその跳ね上げ状態が保持される。
【００２８】
揺動リンク２７に固定した駆動子１１は、操作したブレーキレバー２４をロック解除後に離すと元の位置に戻る。このときにはキックレバー４がロック解除点に移ってそのキックレバー４に固定した係合子１０が駆動子１１との係合領域外に移動しており、従って、後輪ブレーキの使用には何ら支障は出ない。
【００２９】
次に、第２形態のロック解除装置について説明する。図６〜図１０は、その第２形態のロック解除装置を、１本足タイプのスタンド１Ａに採用したケースを示している。
【００３０】
１本足タイプの跳ね上げ式スタンド１Ａも、車体フレーム２０のリヤエンド部２１に取り付けるブラケット２と、このブラケット２に上端を支軸６で回動可能に取り付けた足３と、この足３の上側部分にピボット軸７で回動可能に取り付けてピボット軸７を支点にした回動でロック点とロック解除点に選択的に移動させるキックレバー４と、このキックレバー４とブラケット２の各ばね受け部８，８間に張設されるスプリング５とで構成されている。１本足タイプの跳ね上げ式スタンド１Ａは、自転車の後輪も接地させ、その後輪と前輪と立てた足３とで駐車した自転車の起立状態を保つ。
【００３１】
図示の跳ね上げ式スタンド１Ａは、足３が終点近くまで立ち上がったときに、ブラケット２とキックレバー４に設けたばね受け部８，８とキックレバー４の回動支点となるピボット軸７の位置関係がロック側に切り替わり(図６において、ばね受け部８，８を結ぶ直線Ｌ１がブラケット側のばね受け部８とピボット軸７を結ぶ直線Ｌ２よりも左側に移動する)、スプリング５の力でキックレバー４が自動的にロック点に移動する。
【００３２】
ロック点に移動したキックレバー４は、図８に示すように、上端に設けた係止片４ａがブラケット２に設けた切欠き孔２ａに係合し、その係合状態がスプリング５の力で保持される。その係合状態が保持されているときには足３の跳ね上げ方向への回動がブラケット２によって規制され、スタンドの起立状態がロックされる。
【００３３】
第２形態のロック解除装置も、キックレバー４に固定する係合子１０と、バンドブレーキ３０の揺動リンク２７に固定する駆動子１１を有している。係合子１０は、金属板を曲げ加工して作られており、図６、図８に示すように、足３が立ち上がった状態で見たときに、キックレバー４のピボット軸７よりも上側部分、かつ、ブラケット２の内側に回り込ませた部分に固定される。例示の係合子１０には、フック掛け部となる孔（図示せず）を設けている。
【００３４】
駆動子１１は、第２部材１１ｂの先端側をフックにしたところが第１形態のロック解除装置と異なるが、基本的な構成は第１形態のロック解除装置と同じである。即ち、互いに独立した第１部材１１ａと第２部材１１ｂとで構成し、第１部材１１ａを揺動リンク２７のワイヤー２５との連結部に固定し、第２部材１１ｂをねじ１１ｃで第１部材１１ａに固定し、ねじ１１ｃを第２部材１１ｂに設けた長孔１１ｄに通して両者間の融通の範囲で係合子１０と駆動子１１の相対位置を調整可能となしており、この構成は第１形態と共通している。
【００３５】
１本足のスタンドを採用した自転車は少し傾いた状態でスタンドの起立状態がロックされる。第２形態のロック解除装置は、そのロックを解除するときに傾いた自転車を起こす。この操作で、接地していた足３が宙に浮く。そこで、後輪ブレーキ用のブレーキレバーを操作する。すると、バンドブレーキ３０の揺動リンク２７がワイヤー２５に引かれて揺動し、その際に、揺動リンク２７に固定した駆動子１１が一緒に変位し、その変位の初期に駆動子の第２部材１１ｂの先端のフックが係合子１０のフック掛け部に係合し、駆動子１１のその後の引き続いた移動で係合子１０が図９に示すように駆動子１１によって引き動かされ、その係合子１０を固定したキックレバー４の位置がロック解除側に切り替わる。図６において、直線Ｌ１が直線Ｌ２よりも右側に移動すると、キックレバー４がスプリング５の力でロック解除点に引き動かされ、同時に足３も跳ね上げ点に引き動かされて、再度足を立てるときまで図１０に示す跳ね上げ状態が保持される。
【００３６】
なお、この発明のロック解除装置を構成する係合子１０と駆動子１１は、例示の形状に限定されない。後輪ブレーキ用のブレーキレバーを操作したときに、後輪制動用バンドブレーキの揺動リンクに固定した駆動子が変位し、その駆動子に係合子が動かされて係合子を固定したキックレバーがロック点からロック解除点に動くものにすればよく、係合子と駆動子の形状は特に問わない。
【図面の簡単な説明】
【００３７】
【図１】この発明のロック解除装置を採用した自転車スタンドの一例の要部を示す側面図
【図２】図１のスタンドに設けたロック解除装置の平面図
【図３】図１のスタンドのロック状態を簡略化して示す側面図
【図４】図１のスタンドのロック解除状態を簡略化して示す側面図
【図５】バンドブレーキの概要を示すハウジングを外した状態にして示す側面図
【図６】この発明のロック解除装置を採用した自転車スタンドの他の例の要部を示す側面図
【図７】図６のスタンドに設けたロック解除装置の平面図
【図８】図６のスタンドのロック状態を簡略化して示す側面図
【図９】図６のスタンドのロック解除状態を簡略化して示す側面図
【図１０】図６のスタンドの跳ね上げ状態を示す要部の側面図
【図１１】バンドブレーキを設けた自転車の一例の概要を示す側面図
【符号の説明】
【００３８】
１，１Ａ    スタンド
２          ブラケット
２ａ        切欠き孔
３          足
４          キックレバー
４ａ        係止片
５          スプリング
６          支軸
７          ピボット軸
８          ばね受け部
９          ストッパ
１０        係合子
１１        駆動子
１１ａ      第１部材
１１ｂ      第２部材
１１ｃ      ねじ
２０        車体フレーム
２１        リヤエンド部
２２        前輪
２３        後輪
２４        ブレーキレバー
２５        ワイヤー
２６        ハウジング
２７        揺動リンク
２８        ブレーキシュー
２９        ブレーキドラム
３０        バンドブレーキ
【図１】
2008143405.tif 000003
【図２】
2008143405.tif 000004
【図３】
2008143405.tif 000005
【図４】
2008143405.tif 000006
【図５】
2008143405.tif 000007
【図６】
2008143405.tif 000008
【図７】
2008143405.tif 000009
【図８】
2008143405.tif 000010
【図９】
2008143405.tif 000011
【図１０】
2008143405.tif 000012
【図１１】
2008143405.tif 000013